(57)【要約】      （修正有）【課題】卵を割ることなく、容易に卵に空気抜き用穴を開けることができるゆで卵製造器を提供する。【解決手段】ゆで卵製造器１００は、卵を収容可能な凹部１１１を有する卵保持台１１０と、卵保持台から延びる把手１２０と、凹部の底面に設けられ、卵に穴を開ける空気抜きユニット１３０と、からなる。空気抜きユニットは、凹部の底部において取り付けられ、尖端が上方向を向いているニードルと、ニードルの周囲を覆う弾性材料からなるカバーと、からなり、カバーには、ニードルの尖端の延長線上にニードルが貫通可能な貫通孔が形成されている。【選択図】図１
0003168788.tif 000002
【実用新案登録請求の範囲】
【請求項１】
卵を収容可能な一方向に凹んでいる少なくとも一つの凹部を有する卵保持台と、
卵の内部の空気を抜くために卵に穴を開ける少なくとも一つの空気抜きユニットと、
からなるゆで卵製造器であって、
前記凹部には当該凹部の内部と外部とを連通させる少なくとも一つの貫通孔が形成されており、
前記空気抜きユニットは、
前記凹部の底部において取り付けられ、尖端が上方向を向いているニードルと、
前記ニードルの周囲を覆う弾性材料からなるカバーと、
からなり、
前記カバーには、前記ニードルの前記尖端の延長線上に前記ニードルが貫通可能な貫通孔が形成されているゆで卵製造器。
【請求項２】
前記卵保持台は複数個の前記凹部を有しており、前記空気抜きユニットは複数個の前記凹部の何れか１個に形成されていることを特徴とする請求項１または２に記載のゆで卵製造器。
【請求項３】
前記空気抜きユニットは前記凹部に対して取り外し自在に取り付けられていることを特徴とする請求項１または２に記載のゆで卵製造器。
【考案の詳細な説明】
【技術分野】
【０００１】
本考案はゆで卵製造器に関する。
【背景技術】
【０００２】
実開平６−３６５４４号公報に卵の空気抜き用穴明け器の一例が記載されている。
【０００３】
図４は同公報に記載されている卵の空気抜き用穴明け器の縦断面図である。
【０００４】
図４に示す従来の卵の空気抜き用穴明け器５００は、ゴムその他の可撓性素材からなり、片側が開口した筒状の弾性蛇腹５１０と、弾性蛇腹５１０の底面に形成され、先端にすり鉢状の凹部を設けた突起５２０と、突起５２０の中央に取り付けられ、先端が弾性蛇腹５１０の開口面を向いている針５３０と、から構成されている。
【０００５】
この卵の空気抜き用穴明け器５００は以下のようにして使用される。
【０００６】
長手方向を上下に向けた卵５４０の上に空気抜き用穴明け器５００を乗せる。
【０００７】
次いで、弾性蛇腹５１０の底面を上から下に指で押圧する。これにより、弾性蛇腹５１０が圧縮され、突起５２０の先端に固着されている針５３０の先端が卵５４０の殻を貫通する。
【０００８】
その後、弾性蛇腹５１０から指を離せば、弾性蛇腹５１０は元の状態に伸び、それと同時に、針５３０は卵５４０の殻から抜かれる。
【０００９】
このようにして、空気抜き用穴が開けられた卵５４０を沸騰水に入れて茹で上げる。
【考案の開示】
【考案が解決しようとする課題】
【００１０】
図４に示した従来の卵の空気抜き用穴明け器５００には次のような問題点があった。
【００１１】
第一の問題点は、卵５４０が割れてしまうことがある点である。
【００１２】
従来の卵の空気抜き用穴明け器５００においては、弾性蛇腹５１０を上から下に押圧することにより、針５３０を卵５４０に貫通させる。このため、弾性蛇腹５１０を強く押し過ぎると、針５３０が卵５４０に突き刺さる強度が大きくなり、卵５４０の殻に穴が開くことにとどまらずに、卵５４０の殻が割れてしまうことがあった。
【００１３】
第二の問題点は、卵５４０を保持することが難しいという点である。
【００１４】
従来の卵の空気抜き用穴明け器５００においては、片方の手で卵５４０を持ち、他方の手で空気抜き用穴明け器５００を操作する。卵５４０の殻は曲面であるため、空気抜き用穴明け器５００を卵５４０の上に固定しようとしても、空気抜き用穴明け器５００が滑ってしまうことがあり、空気抜き用穴明け器５００を卵５４０の上に固定し続けることは困難な作業であった。このため、卵５４０の殻に穴を開けることを上手にできないことも多かった。
【００１５】
本考案はこのような従来の卵の空気抜き用穴明け器５００における問題点に鑑みてなされたものであり、卵を割ることなく、容易に卵に空気抜き用穴を開けることができるゆで卵製造器を提供することを目的とする。
【課題を解決するための手段】
【００１６】
上記の目的を達成するため、本考案は、卵を収容可能な一方向に凹んでいる少なくとも一つの凹部を有する卵保持台と、卵の内部の空気を抜くために卵に穴を開ける少なくとも一つの空気抜きユニットと、からなるゆで卵製造器であって、前記凹部には当該凹部の内部と外部とを連通させる少なくとも一つの貫通孔が形成されており、前記空気抜きユニットは、前記凹部の底部において取り付けられ、尖端が上方向を向いているニードルと、前記ニードルの周囲を覆う弾性材料からなるカバーと、からなり、前記カバーには、前記ニードルの前記尖端の延長線上に前記ニードルが貫通可能な貫通孔が形成されているゆで卵製造器を提供する。
【００１７】
本考案に係るゆで卵製造器においては、前記卵保持台は複数個の前記凹部を有しており、前記空気抜きユニットは複数個の前記凹部の何れか１個に形成されていることが好ましい。
【００１８】
本考案に係るゆで卵製造器においては、前記空気抜きユニットは前記凹部に対して取り外し自在に取り付けられていることが好ましい。
【考案の効果】
【００１９】
図４に示した従来の空気抜き用穴明け器５００を使用した場合、弾性蛇腹５１０ひいては針５３０を強く押し過ぎたために、卵５４０の殻を割ってしまうことがあった。
【００２０】
これに対して、本考案に係るゆで卵製造器においては、生卵を空気抜きユニットに向けて押し込んでも、卵は凹部の底面に到達して、それ以上押し込まれることはないため、ニードルが必要以上の強度で卵に突き刺さることがなく、ニードルを突き刺すことにより卵を割ってしまうことを防止することが可能である。
【００２１】
また、図４に示した従来の空気抜き用穴明け器５００においては、卵５４０を片方の手で支持し、他方の手で空気抜き用穴明け器５００を操作する必要があったが、卵５４０の殻は曲面であるため、空気抜き用穴明け器５００を卵５４０の上に固定しようとしても、空気抜き用穴明け器５００が滑ってしまい、空気抜き用穴明け器５００を卵５４０の上に固定することは困難であった。
【００２２】
これに対して、本考案に係るゆで卵製造器においては、卵は各凹部に収納された状態で支持されているため、従来の空気抜き用穴明け器５００とは異なり、卵を片方の手で支持する必要はなく、単に卵を空気抜きユニットに向けて押し込めばいいだけであるので、卵に容易に空気抜き用穴を開けることができる。
【００２３】
また、空気抜きユニットのカバーは弾性材料でつくられているため、卵を空気抜きユニットに向けて強く押し込んだ場合であっても、カバーがクッションの役割を果たすので、卵の殻が破れることを防止することができる。
【００２４】
さらに、空気抜きユニットのカバーは弾性材料でつくられているため、ニードルにより卵に穴が開けられた後、卵を凹部から取り出すと、カバーは元の形状に復帰し、ニードルを覆い隠す。このため、ニードルが露出した状態にはならず、ユーザーがニードルの尖端で怪我をすることを防止することができる。
【図面の簡単な説明】
【００２５】
【図１】本考案の第一の実施形態に係るゆで卵製造器を上方から見たときの斜視図である。
【図２】本考案の第一の実施形態に係るゆで卵製造器の各凹部に卵を収容した状態を示す斜視図である。
【図３】本考案の第一の実施形態に係るゆで卵製造器の空気抜きユニットの縦断面図である。
【図４】従来の卵の空気抜き用穴明け器の縦断面図である。
【考案を実施するための最良の形態】
【００２６】
（第一の実施形態）
図１は本考案の第一の実施形態に係るゆで卵製造器１００を上方から見たときの斜視図である。
【００２７】
本実施形態に係るゆで卵製造器１００は、卵保持台１１０と、把手１２０と、空気抜きユニット１３０と、から構成されている。
【００２８】
卵保持台１１０は、五角形の各頂点に配置された５個の凹部１１１を備えている。各凹部１１１は、下方向に向かって凹んでおり、卵１５０を収容することができる形状及び大きさを有している。
【００２９】
図２は各凹部１１１に卵１５０を収容した状態を示す斜視図である。
【００３０】
各凹部１１１の壁面には凹部１１１の内部と外部とを連通させる複数個の貫通孔１１２が形成されている。
【００３１】
把手１２０は５個の凹部１１１の中心において各凹部１１１が凹む方向（図１の下方向）とは逆方向（図１の上方向）に延びている。
【００３２】
把手１２０は卵保持台１１０に対して取り外し可能に取り付けられている。
【００３３】
図１は把手１２０を卵保持台１１０から取り外した状態を示している。
【００３４】
例えば、卵保持台１１０の中央には開口部１１３が形成されており、開口部１１３の周縁には１個の切欠き（図示せず）が形成されている。把手１２０の下端付近には小突起１２１が形成されており、小突起１２１を切欠きに合わせて把手１２０を開口部１１３に嵌め込んだ後、把手１２０を回転させることにより、小突起１２１は開口部１１３の周縁の下方に位置することにより、把手１２０は卵保持台１１０に保持される。
【００３５】
把手１２０を取り外すときには、把手１２０を回転させて小突起１２１を切欠きに合わせた後、把手１２０を上方に引き抜けば、小突起１２１が開口部１１３の周縁に干渉することなく、把手１２０を卵保持台１１０から取り外すことができる。
【００３６】
空気抜きユニット１３０は、５個の凹部１１１のうちの１個の凹部１１１に取り付けられている。空気抜きユニット１３０は、卵１５０の内部の空気を抜くために卵１５０に穴を開けるために使用される。
【００３７】
図３は空気抜きユニット１３０の縦断面図である。
【００３８】
図３に示すように、空気抜きユニット１３０は、凹部１１１の底面に形成された開口部１１４に固定的に嵌め込まれた支持台１３１と、支持台１３１を越えて上方に突出するように支持台１３１に固定され、尖端が上方向を向いているニードル１３２と、ニードル３２の周囲を覆う半球状のカバー１３３と、から構成されている。
【００３９】
カバー１３３はゴムその他の弾性材料からなり、例えば、上方から押して凹ませると、元の形状に復元する反発力を有している。
【００４０】
カバー１３３には、ニードル１３２の尖端の延長線上にニードル１３２が貫通可能な貫通孔１３４が形成されている。
【００４１】
以上のような構造を有する本実施形態に係るゆで卵製造器１００は次のようにして使用される。
【００４２】
生卵を空気抜きユニット１３０が取り付けられている凹部１１１に入れ、生卵１５０を上方から空気抜きユニット１３０に押し付ける。
【００４３】
生卵１５０を上方から空気抜きユニット１３０に向かって押し付けると、カバー１３３が下方に撓み、貫通孔１３４を介してニードル１３２が露出する。
【００４４】
生卵１５０をさらに空気抜きユニット１３０に向かって押し付けると、ニードル１３２が生卵１５０の殻を破り、殻に穴が開けられる。
【００４５】
次いで、殻に穴が開いた生卵１５０を凹部１１１から取り出す。
【００４６】
生卵１５０を凹部１１１から取り出す際、下方に撓んでいたカバー１３３はその弾性力により、元の形状に復帰する。これにより、ニードル１３２はカバー１３３の内部に隠れた状態になる。
【００４７】
殻に穴が開いた生卵１５０を空気抜きユニット１３０が取り付けられている凹部１１１とは別の凹部１１１（空気抜きユニット１３０が取り付けられていない凹部１１１）に移動させる。
【００４８】
同様にして、３個の生卵１５０の殻を破り、空気抜きユニット１３０が取り付けられていない残りの３個の凹部１１１に移す。
【００４９】
最後の５個目の生卵は、ニードル１３２で殻を破った後、その凹部１１１（空気抜きユニット１３０が取り付けられている凹部１１１）にそのまま残す。
【００５０】
このようにして、５個の凹部１１１の各々に生卵が収納された後（図２に示す状態）、把手１２０を持って、ゆで卵製造器１００（特に、各凹部１１１に収納されている生卵）を沸騰水の中に入れる。
【００５１】
各凹部１１１には貫通孔１１２が形成されているため、凹部１１１の内部と外部との間を沸騰水が往復し、生卵、特に、その下半分（凹部１１１に収納されている部分）を加熱する。このため、生卵全体を均一に加熱することが可能である。
【００５２】
卵が茹で上がった後、把手１２０を持って、ゆで卵製造器１００を沸騰水から取り出し、ゆで卵を取り出すことができる。
【００５３】
本実施形態に係るゆで卵製造器１００によれば、以下の効果を得ることができる。
【００５４】
図４に示した従来の空気抜き用穴明け器５００を使用した場合、弾性蛇腹５１０ひいては針５３０を強く押し過ぎると、卵５４０の殻を割ってしまうことがあった。
【００５５】
これに対して、本実施形態に係るゆで卵製造器１００においては、生卵１５０を空気抜きユニット１３０に向けて押し込んでも、卵１５０は凹部１１１の底面に到達して、それ以上押し込まれることはない。このため、ニードル１３２が必要以上の強度で卵１５０に突き刺さることがなく、ニードル１３２を突き刺すことにより卵１５０を割ってしまうことを防止することが可能である。
【００５６】
また、図４に示した従来の空気抜き用穴明け器５００においては、卵５４０を片方の手で支持し、他方の手で空気抜き用穴明け器５００を操作する必要があるものであったが、卵５４０の殻は曲面であるため、空気抜き用穴明け器５００を卵５４０の上に固定しようとしても、空気抜き用穴明け器５００が滑ってしまい、空気抜き用穴明け器５００を卵５４０の上に固定することは困難であった。
【００５７】
これに対して、本実施形態に係るゆで卵製造器１００においては、卵１５０は各凹部１１１に収納された状態で支持されているため、従来の空気抜き用穴明け器５００とは異なり、卵１５０を片方の手で支持する必要はなく、単に卵１５０を空気抜きユニット１３０に向けて押し込めばいいだけであるので、卵１５０に容易に空気抜き用穴を開けることができる。
【００５８】
また、空気抜きユニット１３０のカバー１３３は弾性材料でつくられているため、卵１５０を空気抜きユニット１３０に向けて強く押し込んだ場合であっても、カバー１３３がクッションの役割を果たすので、卵１５０の殻が破れることを防止することができる。
【００５９】
さらに、空気抜きユニット１３０のカバー１３３は弾性材料でつくられているため、ニードル１３２により卵１５０に穴が開けられた後、卵１５０を凹部１１１から取り出すと、カバー１３３は元の形状に復帰し、ニードル１３２を覆い隠す。このため、ニードル１３２が露出した状態にはならず、ユーザーがニードル１３２の尖端で怪我をすることを防止することができる。
【００６０】
本実施形態に係るゆで卵製造器１００は上記の構造に限定されるものではなく、種々の改変を加えることが可能である。
【００６１】
例えば、本実施形態に係るゆで卵製造器１００においては、卵保持台１１０は５個の凹部１１１を備えるものとして構成されているが、凹部１１１の個数は５には限定されない。卵保持台１１０は１以上の任意の数の凹部１１１を備えるものとして構成することが可能である。
【００６２】
本実施形態に係るゆで卵製造器１００においては、把手１２０は卵保持台１１０に対して取り外し可能に取り付けられているが、把手１２０を卵保持台１１０に固定的に取り付けることも可能である。
【００６３】
また、本実施形態に係るゆで卵製造器１００においては、把手１２０は各凹部１１１の配置位置の中心に設けられているが、把手１２０を卵保持台１１０の他の位置に設けることも可能である。
【００６４】
あるいは、本実施形態に係るゆで卵製造器１００は把手１２０を備えないものとして構成することも可能である。
【００６５】
本実施形態に係るゆで卵製造器１００においては、５個の凹部１１１のうちの１個の凹部１１１に空気抜きユニット１３０が設けられているが、５個の凹部１１１のうちの２個以上の凹部１１１に空気抜きユニット１３０を設けることも可能である。
【００６６】
また、本実施形態に係るゆで卵製造器１００においては、空気抜きユニット１３０は凹部１１１の底面に固定されているものとして構成されているが、空気抜きユニット１３０を凹部１１１に対して取り外し可能であるように取り付けることも可能である。
【符号の説明】
【００６７】
１００  本考案の第一の実施形態に係るゆで卵製造器
１１０  卵保持台
１１１  凹部
１１２  貫通孔
１２０  把手
１３０  空気抜きユニット
１３１  支持台
１３２  ニードル
１３３  カバー
１３４  貫通孔
【図１】
0003168788.tif 000003
【図２】
0003168788.tif 000004
【図３】
0003168788.tif 000005
【図４】
0003168788.tif 000006
【手続補正書】
【提出日】平成23年4月22日(2011.4.22)
【手続補正１】
【補正対象書類名】実用新案登録請求の範囲
【補正対象項目名】請求項２
【補正方法】変更
【補正の内容】
【請求項２】
前記卵保持台は複数個の前記凹部を有しており、前記空気抜きユニットは複数個の前記凹部の何れか１個に形成されていることを特徴とする請求項１に記載のゆで卵製造器。